(57)【要約】【課題】一巻の記録媒体にライトワンス領域と再記録可能領域を共存させることができる記録媒体カートリッジ及び記録再生装置を提供する。【解決手段】カートリッジメモリ９の管理情報に記憶された再記録可能領域とライトワンス領域を示す情報に基づいて記録再生装置１１を制御して磁気テープＭＴに記録することで、磁気テープＭＴに再記録可能領域とライトワンス領域を共存させる。【選択図】　　　図４
2004086971.tif 000002
【特許請求の範囲】
【請求項１】
記録媒体とカートリッジメモリとを備えて構成される記録媒体カートリッジであって、
前記カートリッジメモリに前記記録媒体のライトワンス領域を示す情報を記憶させたことを特徴とする記録媒体カートリッジ。
【請求項２】
請求項１に記載の記録媒体カートリッジの記録再生を行うための記録再生装置であって、
前記情報に基づいて前記ライトワンス領域を認識し、前記ライトワンス領域への再記録を防止するように構成されたことを特徴とする記録再生装置。
【発明の詳細な説明】
【０００１】
【発明の属する技術分野】
本発明は、カートリッジメモリを備えた記録媒体カートリッジ及びその記録再生装置に関するものである。
【０００２】
【従来の技術】
従来、磁気テープ等の記録媒体を備えた記録媒体カートリッジには、製造者や製造番号等の製造情報や、使用者や使用日時等の使用履歴情報を記憶させるためのカートリッジメモリが備えられている。このようなカートリッジメモリは、電磁誘導により記録媒体カートリッジの外部と非接触で情報や電力の授受ができることから、記録媒体カートリッジのカートリッジケース内に収納されている（例えば、特許文献１参照）。
【０００３】
【特許文献１】
特開２００１−３３２０６４号公報（第２頁、第７、８図）
【０００４】
【発明が解決しようとする課題】
ところで、従来の記録媒体カートリッジは基本的に繰り返し再記録可能だが、記録媒体カートリッジの一部形状を変えることで、記録再生装置側が再書込み不可能用記録媒体カートリッジであると認識し、その記録媒体カートリッジ全体の再書込みを防止するシステムはあった。
【０００５】
しかしながら、従来のシステムは、記録防止を行うと、記録媒体全体が再記録不可能となってしまい、ライトワンス領域と再記録可能領域とを共存させることができないという問題があった。
【０００６】
そこで、本発明は、一巻の記録媒体にライトワンス領域と再記録可能領域を共存させることができる記録媒体カートリッジ及び記録再生装置を提供することを目的とする。
【０００７】
【課題を解決するための手段】
前記した課題を解決するため、請求項１に記載の記録媒体カートリッジは、記録媒体とカートリッジメモリとを備えて構成される記録媒体カートリッジであって、前記カートリッジメモリに前記記録媒体のライトワンス領域を示す情報を記憶させたことを特徴とする。
【０００８】
請求項１に記載の記録媒体カートリッジによれば、カートリッジメモリに記録媒体のライトワンス領域を示す情報を記憶することで、記録媒体カートリッジを記録再生装置に挿入した際に、この記録再生装置が前記情報に基づいて記録媒体に再記録可能領域とライトワンス領域を認識することができるため、一巻の記録媒体に再記録可能領域とライトワンス領域を共存させることができる。なお、ライトワンス領域（ライトワンス：ＷＯＲＭ＝Ｗｒｉｔｅ　Ｏｎｃｅ　Ｒｅａｄ　Ｍａｎｙ　ｔｉｍｅｓ）とは、一度だけの書込を許可し、書換や消去を禁止する領域であり、再記録可能領域（ＲＷ＝Ｒｅａｄ　Ｗｒｉｔｅ）とは、一度情報を記録した部分に再度記録することができる領域である。
【０００９】
請求項２に記載の記録再生装置は、請求項１に記載の記録媒体カートリッジの記録再生を行うための記録再生装置であって、前記情報に基づいて前記ライトワンス領域を認識し、前記ライトワンス領域への再記録を防止するように構成されたことを特徴とする。
【００１０】
請求項２に記載の記録再生装置によれば、カートリッジメモリに記憶された情報に基づいてライトワンス領域を判定し、その不可能領域への再記録を防止するので一巻の記録媒体に再記録可能領域とライトワンス領域を共存させることができる。
【００１１】
【発明の実施の形態】
以下、本発明に係る記録媒体カートリッジ及びその記録再生装置の一実施の形態を、適宜図面を参照して詳細に説明する。なお、本実施の形態では、記録媒体カートリッジとして磁気テープカートリッジを用いた場合を想定している。
【００１２】
まず、本実施の形態に係る磁気テープカートリッジの構成を図１及び図２を参照しながら説明する。参照する図面において、図１は、本実施の形態に係る磁気テープカートリッジの構成を示す分解斜視図である。図２（ａ）は、カートリッジメモリがカートリッジケースの下ハーフに取り付けられた状態を示す斜視図であり、図２（ｂ）は、カートリッジメモリの外観を示す斜視図である。図３は、磁気テープに対してアドレスを設定した状態を示す平面図である。図４（ａ）は、管理情報に記憶された再記録可能領域とライトワンス領域をアドレスに対応して情報で表した表であり、図４（ｂ）は、図４（ａ）のアドレスと情報に基づいた磁気テープ上の再記録可能領域とライトワンス領域の状態を示す平面図である。図５は、磁気テープカートリッジを記録再生する記録再生装置を示す斜視図である。図６は、記録再生装置における制御情報の処理方法を示すフローチャートである。図７は、ライトワンス領域の管理の仕方の変形例に係る磁気テープ上のライトワンス領域と再起記録可能領域の状態を示す平面図である。図８（ａ）は、管理情報に記憶された再記録可能領域とライトワンス領域をアドレスに対応して情報で表した他の例を示す表であり、図８（ｂ）は、図８（ａ）のアドレスと情報に基づいた磁気テープ上の再記録可能領域とライトワンス領域の状態を示す平面図である。
【００１３】
図１に示すように、磁気テープカートリッジＭＣは、下ハーフ１Ａと上ハーフ１Ｂとに分割して構成されたカートリッジケース１の内部に、記録媒体である磁気テープＭＴが巻装された単一のリール２、磁気テープＭＴをカートリッジケース１から引き出すためのリーダピン１０、リール２の回転をロックするためのロックプレート３及び圧縮コイルばね４、リール２のロック状態を解除するためのリリースパッド５、下ハーフ１Ａ及び上ハーフ１Ｂに跨ってカートリッジケース１に形成された磁気テープ引出口１Ｃを開閉するスライドドア６、スライドドア６を磁気テープ引出口１Ｃの閉位置に付勢するコイルばね７、誤消去防止爪８、カートリッジメモリ９等を組み込んで構成されている。なお、カートリッジメモリ９は、磁気テープＭＴの走行に支障をきたすことが無いように、カートリッジケース１の下ハーフ１Ａの隅に配置されている（図２（ａ）参照）
【００１４】
カートリッジメモリ９は、図２（ｂ）に示すように、矩形の薄片形状に形成されており、樹脂製の基板９ａ上にループアンテナ９ｂとＩＣチップ９ｃが設けられている。なお、ＩＣチップ９ｃは、樹脂からなる封止剤であるグローブトップ９ｄ内に封止され保護されている。ＩＣチップ９ｃは基板９ａの上にプリント配線されたループアンテナ９ｂと電気的に接続されており、磁気テープカートリッジＭＣの外部からループアンテナ９ｂに電磁波を伝播させることにより、磁気テープカートリッジＭＣの外部とデータの授受を行う。また、ＩＣチップ９ｃを駆動する電源も前記電磁波を伝播させることにより、磁気テープカートリッジＭＣの外部から供給される。このカートリッジメモリ９には、製造者や製造番号等の磁気テープカートリッジＭＣの製造情報や、使用者や使用日時等の使用履歴情報等の管理情報（制御情報）が記録されている。
【００１５】
また、図３に示すように、カートリッジメモリ９の管理情報には、磁気テープＭＴの全長を区画し、個々に区画された個所にそれぞれ磁気テープＭＴの全長にわたってアドレス（番号）を振り当てると共に、磁気テープＭＴの全長に対して再記録可能領域とライトワンス領域の情報がアドレスに対応して記録されている。なお、個々のアドレスに、再記録可能領域なら０、ライトワンス領域なら１と情報をつけることで、再記録可能領域とライトワンス領域を分けることができる。
【００１６】
図４（ａ）に示すように、カートリッジメモリ９は、アドレスで指定される領域が再記録可能領域又はライトワンス領域のどちらであるかを示す情報がカートリッジメモリ９に記憶されている。この情報に基づいて磁気テープＭＴの再記録可能領域とライトワンス領域を制限することができる。この場合、図４（ｂ）に示すように、アドレス０００３は情報が０となっているため再記録可能であり、アドレス０００４は情報が１となっているので再記録不可能となる。これよりアドレス０００３からアドレス０００４の間は、再記録可能領域Ａ１となり、記録再生装置１１（図５参照）を用いて記録することができる。
【００１７】
また、アドレス０００４は情報が１となっているため再記録不可能であり、アドレス０００５は情報が０となっているので再記録可能となる。これより、アドレス０００４からアドレス０００５の間はライトワンス領域Ｂ１となり、記録再生装置１１はライトワンス領域Ｂ１に記録することができない。
【００１８】
同様に、アドレス０００５からアドレス０００６の間は再記録可能領域Ａ２となり、アドレス０００６からアドレス０００７の間はライトワンス領域Ｂ２となり、また、アドレス０００７からカートリッジメモリ９に記憶された１の情報が振り当てられたアドレスまで再記録可能領域Ａ３となっている。
【００１９】
このような磁気テープカートリッジＭＣを記録／再生する記録再生装置１１は、図５に示すように、内部に磁気テープの駆動回路と、入出力インターフェース回路と、電源等が設けられると共に、外部コンピュータ１２にケーブル１３で接続されている。このように構成された記録再生装置１１は、磁気テープカートリッジＭＣを挿入すると、カートリッジメモリ９に記憶されている管理情報のライトワンス領域と再記録可能領域を示す情報に基づいて記録／再生を行う。
【００２０】
なお、カートリッジメモリ９に、磁気テープＭＴの全領域を再記録可能と指定する情報が記憶されていると、記録再生装置１１は、磁気テープＭＴの全領域に対して再書込みを行うことができる。
【００２１】
また、カートリッジメモリ９に、磁気テープＭＴの全領域をライトワンス領域として指定する情報が記憶されているか、カートリッジメモリ９の故障や損傷によって記録再生装置１１で記録が可能であるか否かを示す情報を読み出せないと、記録再生装置１１は、磁気テープＭＴの全領域をライトワンス領域とみなし、再生のみを行う。
【００２２】
この結果、カートリッジメモリ９に記憶されている再記録可能領域とライトワンス領域を示す情報に基づいて、記録再生装置１１を制御することで磁気テープＭＴに再記録可能領域とライトワンス領域を混在させることができる。
【００２３】
次に、磁気テープカートリッジＭＣを記録再生装置１１で記録／再生する際の動作を図６に示すフローチャートを参照して説明する。
【００２４】
まず、記録再生装置１１（図５参照）に磁気テープカートリッジＭＣを挿入すると、カートリッジメモリ９に記憶されているの管理情報からアドレスと、このアドレスに対応した再記録可能領域かライトワンス領域かの情報とを読み出す（Ｓ１）。
【００２５】
続いて、その読み出した情報が０であるか否かの判別を行い、情報が０でない（１である）と判別したとき（Ｓ２、Ｎｏ）、記憶再生装置１１は、磁気テープＭＴに読み出したアドレスに対応する領域が再記録不可能であると判定する。
【００２６】
そして、読み出された情報が０であると（Ｓ２、Ｙｅｓ）、記録再生装置１１は、磁気テープＭＴに読み出したアドレスに対応する領域が再記録可能であると判定する（Ｓ４）。
【００２７】
以上、説明したように、カートリッジメモリ９に記憶されている再記録可能又は再記録不可能の情報に基づいて記録再生装置１１を適宣制御して動作させることで、磁気テープＭＴ上に再記録可能領域とライトワンス領域を共存させることができる。なお、一度カートリッジメモリ９の記憶情報にライトワンス領域（情報が１）と設定されると、カートリッジメモリ９の当該情報は２度と変更されることはない。
【００２８】
また、磁気テープＭＴの先端に再記録可能領域とライトワンス領域を記録するよりも、カートリッジメモリ９に記憶することで、磁気テープＭＴを先端まで巻戻して読み出す必要もなく、常時カートリッジメモリ９から管理情報を読み出すことができ、また、記録再生装置１１に挿入した際に再記録可能領域とライトワンス領域の管理情報をすぐに認識させることができる。
【００２９】
また、本実施の形態では磁気テープカートリッジを用いたが、本発明はこれに限定されるものではなく、例えば、ビデオテープ、光で情報を記録するテープ、光磁気ディスク等の記録媒体に用いることができる。
【００３０】
また、本発明のカートリッジメモリ９にライトワンス領域を磁気テープＭＴの最初から連続して配置し、ライトワンス領域と再記録可能領域の境界を示す情報のみをメモリに記憶させてもよい。
例えば、ライトワンス領域と再記録可能領域の境界を示す情報をカートリッジメモリ９に記憶させておく。そして、図７に示すように、アドレス００００（磁気テープＭＴの最初）〜３３５６までは、ライトワンス領域となり、境界アドレス３３５６以降は再記録可能領域とする。
このように境界アドレスを管理して、これから書き込もうとする領域のアドレスが、境界アドレス３３５６より前であればライトワンス領域であるので、再記録を禁止する。
このとき、ライトワンス領域と再記録可能領域の境界は移動可能にしてもよい。その場合には、ライトワンス領域を、一度しか記録できない領域とするため、ライトワンス領域が広がる方向にのみ移動可能に構成すると良い。例えば、境界アドレスを後方（アドレス３３５６以降）にのみ移動すればよく、即ち、カートリッジメモリ９上のアドレスを増やす方向にのみ書換え可能である。
特に、ライトワンス領域と再記録移動可能領域の境界を移動可能にする場合に、新たな情報を記録しつつ、境界アドレスを移動していく場合には、拡大する領域に必要な情報が記録されていないことを条件とし、仮に必要な情報が記録されている場合には、その必要な情報を移動するようにしても良い。
【００３１】
また、本発明のカートリッジメモリ９にライトワンス領域と、再記録可能領域の境界のアドレス、即ちライトワンス領域の開始アドレス及び終了アドレスをそれぞれ記憶させてもよい。
例えば、図８（ａ）に示すように、境界を示すアドレスと、そのアドレスが開始か終了かを示す情報を対応付けて記憶させておく。図８（ａ）の例では、情報が０ときは開始アドレスであることを示し、情報が１のときには、終了アドレスであることを示す。つまり、図８（ｂ）に示すように、アドレス０００３〜０００５は再記録可能領域であり、アドレス０００５〜０００７はライトワンス領域であり、同様に、アドレス０００７〜００１８までは再記録可能領域となる。
そして、磁気テープへの情報の記録時に、これから書き込もうとする領域のアドレスが、カートリッジメモリ９から読み取った開始アドレスと終了アドレスの間であればライトワンス領域であるので、再記録を禁止する。一方、終了アドレスと開始アドレスの間であれば、再記録可能領域であるので再記録を許可する。このとき、ライトワンス領域と再記録可能領域の境界は移動可能にしてもよい。その場合には、ライトワンス領域を、一度しか記録できない領域とするため、ライトワンス領域が広がる方向にのみ移動可能に構成すると良い。例えば、開始アドレスは、前方にのみ移動することができるようにし、終了アドレスは、後方にのみ移動することができるようにすると良い。
特に、ライトワンス領域と再記録移動可能領域の境界を移動可能にする場合に、新たな情報を記録しつつ、開始アドレス又は終了アドレスを移動していく場合には、拡大する領域に必要な情報が記録されていないことを条件とし、仮に必要な情報が記録されている場合には、その必要な情報を移動するようにしても良い。なお、開始アドレスは、カートリッジメモリ９上のアドレスを減らす方向、終了アドレスはカートリッジメモリ９上のアドレスを増やす方向にのみ書換え可能である。
【００３２】
また、本実施の形態で、ライトワンス領域と再記録可能領域の情報を０及び１として示したが、本発明はこれに限定されるものではない。
【００３３】
また、磁気テープＭＴの全長にわたってアドレス（番号）を振り当てたが、特に本発明を限定するものではなく、任意の数字や記号等を用いても同様の効果を得ることができる。
【００３４】
【発明の効果】
以上より、カートリッジメモリに記憶された再記録可能領域とライトワンス領域を示す情報に基づいて、記録再生装置を制御して記録媒体に記録することで記録媒体中に再記録可能領域とライトワンス領域を共存させることができる。
【００３５】
また、カートリッジメモリに記録媒体のライトワンス領域が記憶されていると、記録再生装置は、その制御情報に基づいて指定されたライトワンス領域への再記録を防止することができる。
【図面の簡単な説明】
【図１】本実施の形態に係る磁気テープカートリッジの構成を示す分解斜視図である。
【図２】（ａ）　カートリッジメモリがカートリッジケースの下ハーフに取り付けられた状態を示す斜視図である。
（ｂ）　カートリッジメモリの外観を示す斜視図である。
【図３】磁気テープに対してアドレスを設定した状態を示す平面図である。
【図４】（ａ）　管理情報に記憶された再記録可能領域とライトワンス領域をアドレスに対応して情報で表した表である。
（ｂ）　図４（ａ）のアドレスと情報に基づいた磁気テープ上の再記録可能領域とライトワンス領域の状態を示す平面図である。
【図５】磁気テープカートリッジを記録再生する記録再生装置を示す斜視図である。
【図６】記録再生装置における制御情報の処理方法を示すフローチャートである。
【図７】ライトワンス領域の管理の仕方の変形例に係る磁気テープ上のライトワンス領域と再起記録可能領域の状態を示す平面図である。
【図８】（ａ）　管理情報に記憶された再記録可能領域とライトワンス領域をアドレスに対応して情報で表した他の例を示す表である。
（ｂ）　図８（ａ）のアドレスと情報に基づいた磁気テープ上の再記録可能領域とライトワンス領域の状態を示す平面図である。
【符号の説明】
１　・・・カートリッジケース
１Ａ　・・・下ハーフ
１Ｂ　・・・上ハーフ
１Ｃ　・・・磁気テープ引出口
２　・・・リール
３　・・・ロックプレート
４　・・・圧縮コイルばね
５　・・・リリースパッド
６　・・・スライドドア
７　・・・コイルばね
８　・・・誤消去防止爪
９　・・・カートリッジメモリ
９ａ　・・・基板
９ｂ　・・・ループアンテナ
９ｃ　・・・ＩＣチップ
９ｄ　・・・グローブトップ
１０　・・・リーダピン
１１　・・・記録再生装置
１２　・・・外部コンピュータ
１３　・・・ケーブル
ＭＴ　・・・磁気テープ
ＭＣ　・・・磁気テープカートリッジ
Ａ１　・・・再記録可能領域
Ａ２　・・・再記録可能領域
Ａ３　・・・再記録可能領域
Ｂ１　・・・ライトワンス領域
Ｂ２　・・・ライトワンス領域
【図１】
2004086971.tif 000003
【図２】
2004086971.tif 000004
【図３】
2004086971.tif 000005
【図４】
2004086971.tif 000006
【図５】
2004086971.tif 000007
【図６】
2004086971.tif 000008
【図７】
2004086971.tif 000009
【図８】
2004086971.tif 000010